(57)【要約】【課題】ミスト発生装置の故障等が原因で、ミスト発生装置から湯水が噴出してしまう事態が発生しても、貯湯タンク内の湯切れを防止するとともに、安全性の高い貯湯式給湯機を提供すること。【解決手段】本発明の貯湯式給湯機は、湯水を貯える貯湯タンク１と、湯水をミスト状に噴出するミスト発生装置９と、ミスト発生装置９へ貯湯タンク１内の高温水を供給するミスト配管１２と、水を供給する給水管１４と、ミスト配管１２と給水管１４とを接続しミスト発生装置９に供給する湯水の湯温を調節する湯水混合調節手段２１とを備え、ミスト発生装置９の運転停止中は、湯水混合調節手段２１の開度を水側に駆動する。【選択図】図１
2008232586.tif 000002
【特許請求の範囲】
【請求項１】
湯水を貯える貯湯タンクと、湯水をミスト状に噴出するミスト発生装置と、前記ミスト発生装置へ前記貯湯タンク内の高温水を供給するミスト配管と、水を供給する給水管と、前記ミスト配管と前記給水管とを接続し前記ミスト発生装置に供給する湯水の湯温を調節する湯水混合調節手段とを備え、前記ミスト発生装置の運転停止中は、前記湯水混合調節手段の開度を水側に駆動することを特徴とする貯湯式給湯機。
【請求項２】
深夜時間の第１の所定時間の間、前記湯温混合調節手段の開度を湯側に駆動することを特徴とする請求項１に記載の貯湯式給湯機。
【請求項３】
外気温度を検出する外気温度検出手段を備え、前記外気温度検出手段で検出する外気温度が第１設定温度以下の時に、前記湯温混合調節手段の開度を湯側に駆動することを特徴とする請求項１または２に記載の貯湯式給湯機。
【請求項４】
第１設定温度以下の外気温度を、第２の所定時間継続した時に、前記湯温混合調節手段の開度を湯側に駆動することを特徴とする請求項３に記載の貯湯式給湯機。
【請求項５】
ミスト発生装置の運転を停止してから、第３の所定時間経過した時に、前記湯温混合調節手段の開度を湯側に駆動することを特徴とする請求項１〜４のいずれか１項に記載の貯湯式給湯機。
【発明の詳細な説明】
【技術分野】
【０００１】
本発明は、ミスト発生装置に接続可能な貯湯式給湯機に関するものである。
【背景技術】
【０００２】
従来のミスト発生装置は、給水管から給湯装置に水が供給され、給湯装置の湯と、給水源からの水とを混合することによって、浴室などにミストを提供している（例えば、特許文献１参照）
【特許文献１】特開２００５−３４２０８７号公報
【発明の開示】
【発明が解決しようとする課題】
【０００３】
しかしながら、従来の構成のようなミスト発生装置では、故障等が原因で、ミスト運転を開始していないにも関わらず、ミスト発生装置から湯水が噴出されてしまい、使用者が予期することなく浴室上部から降り注いでしまう。また、そのような場合ミスト運転を開始しないにもかかわらず湯水が噴出してしまうと、貯湯タンク内の湯切れが発生してしまい、給湯端末からの給湯に支障をきたしてしまう。
【０００４】
本発明は、ミスト発生装置の故障等が原因で、ミスト発生装置から湯水が噴出してしまう事態が発生しても、貯湯タンク内の湯切れを防止するとともに、安全性の高い貯湯式給湯機を提供することを目的とする。
【課題を解決するための手段】
【０００５】
前記従来の課題を解決するために、本発明の貯湯式給湯機は、湯水を貯える貯湯タンクと、湯水をミスト状に噴出するミスト発生装置と、前記ミスト発生装置へ前記貯湯タンク内の高温水を供給するミスト配管と、水を供給する給水管と、前記ミスト配管と前記給水管とを接続し前記ミスト発生装置に供給する湯水の湯温を調節する湯水混合調節手段とを備え、前記ミスト発生装置の運転停止中は、前記湯水混合調節手段の開度を水側に駆動することを特徴とするものである。
【０００６】
これにより、運転停止中に故障等によってミスト発生装置から湯水が噴出しても、湯水混合調節手段が水側全開に駆動しているので、貯湯タンクから高温の湯がミスト発生装置に供給されることがなく、貯湯タンクの湯切れを防止することができる。
【発明の効果】
【０００７】
本発明の貯湯式給湯機は、故障等が原因で、ミスト発生装置から湯水が噴出してしまう事態が発生しても、貯湯タンク内の湯切れを防止するとともに、安全性の高い貯湯式給湯機を提供することができる。
【発明を実施するための最良の形態】
【０００８】
第１の発明の貯湯式給湯機は、湯水を貯える貯湯タンクと、湯水をミスト状に噴出するミスト発生装置と、前記ミスト発生装置へ前記貯湯タンク内の高温水を供給するミスト配管と、水を供給する給水管と、前記ミスト配管と前記給水管とを接続し前記ミスト発生装置に供給する湯水の湯温を調節する湯水混合調節手段とを備え、前記ミスト発生装置の運転停止中は、前記湯水混合調節手段の開度を水側に駆動することにより、運転停止中に故障等によってミスト発生装置から湯水が噴出しても、湯水混合調節手段が水側全開に駆動しているので、貯湯タンクから高温の湯がミスト発生装置に供給されることがなく、貯湯タンクの湯切れを防止することができる。
【０００９】
第２の発明の貯湯式給湯機は、特に第１の発明において、深夜時間の一定時間の間、前記湯温混合調節手段の開度を湯側に駆動することにより、外気温度が下がる深夜時間帯に湯側に駆動して、湯温混合調節手段の凍結を防止することができる。
【００１０】
第３の発明の貯湯式給湯機は、特に第１または第２の発明において、外気温度を検出する外気温度検出手段を備え、前記外気温度検出手段で検出する外気温度が第１設定温度以下の時に、前記湯温混合調節手段の開度を湯側に駆動することにより、凍結の可能性が高い所定温度以下を検出すると、湯温混合調節手段の開度を湯側に駆動するので、湯温混合調節手段の凍結を防止することができる。
【００１１】
第４の発明の貯湯式給湯機は、特に第３の発明において、第１設定温度以下の外気温度を、所定時間継続した時に、前記湯温混合調節手段の開度を湯側に駆動することにより、第１設定温度以下の外気温度を検出している状態を、所定時間継続したときのみに、湯温混合調節手段の開度を湯側に駆動するので、より貯湯タンク内の湯切れを防止することができる。
【００１２】
第５の発明の貯湯式給湯機は、特に第１〜第４の発明において、ミスト発生装置の運転を停止してから、第３の所定時間経過した時に、前記湯温混合調節手段の開度を湯側に駆動することにより、定期的に湯温混合調節手段を駆動することになるので、長期間未使用にすることを防止し、湯温混合調節手段の故障を低減することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における貯湯式給湯機の構成図である。図１において、本発明の貯湯式給湯機は、湯水を貯える貯湯タンク１と、貯湯タンク１の下方部に貯えられている低温水を高温水に沸き上げる水冷媒熱交換器２と、貯湯タンク１の下方部に貯えられている低温水を水冷媒熱交換器２に送水する水ポンプ３とを備えており、図１に示すように貯湯タンク１と水ポンプ３と水冷媒熱交換器２とを配管で順次環状に接続して、貯湯タンク１の下方部に貯えられている低温水を、水ポンプ３を動作することによって水冷媒熱交換器２に送水し、水冷媒熱交換器２において低温水に熱を放熱することで高温水を生成し、水冷媒熱交換器２で生成された高温水を貯湯タンク１の上方から貯える。
【００１５】
また、水冷媒熱交換器２から貯湯タンク１に至る流路の間には、三方弁６１が介在しており、圧縮機６の立ち上がり時には、水冷媒熱交換器２で生成される湯の温度が高温になっていないので、ある温度以上の高温水が生成されるまでは、三方弁６１を切り替えることによって、水冷媒熱交換器２から出湯する湯を貯湯タンク１の下方部に返流し、ある温度以上の高温水が生成されると、三方弁６１を切り替えることによって、水冷媒熱交換器２から出湯する湯を貯湯タンク１の上方に返流する構成としている。なお、貯湯タンク１の底部には、給水源からタンク給水管４が接続されており、常時給水圧が掛かっており、カラン等からの出湯に応じてタンク給水管４から貯湯タンク１に水が供給される。
【００１６】
また、本発明の貯湯式給湯機は、熱源としてヒートポンプを使用している。図１に示すように、冷媒を圧縮する圧縮機６と、大気から熱を吸熱する蒸発器７と、冷媒を減圧する減圧装置８とを有し、圧縮機６と水冷媒熱交換器２と減圧装置８と蒸発器７とを冷媒管によって順次環状に接続されており、冷媒管内を流通する冷媒には、二酸化炭素を使用している。つまり高圧側では臨界圧力を超えるので、水に熱を奪われても凝縮することがなく、高温の湯を得ることができる。
【００１７】
また、貯湯タンク１の天部には、蛇口やシャワー等の給湯端末に出湯するための給湯管１０および、浴槽に湯を出湯するための浴槽給湯管１１が接続されている。給湯管１０から出湯した湯は、電動式混合弁２３で給水源から給水配管１４を経て供給される水と混合され、給湯端末３１へ供給される。また、浴槽給湯管１１から出湯した湯は、電動式混合弁２２で給水源から給水配管１４を経て供給される水と混合され、浴槽３３へ供給される。浴槽３３と電動式混合弁２２との間には、二方弁等で構成される注湯弁５２を設けており、注湯弁５２を開くことによって浴槽３３への湯水の供給を開始する。
【００１８】
電動式混合弁２２（電動式混合弁２３）は、電動式混合弁２２（電動式混合弁２３）の下流側に設けられている湯温検出手段であるサーミスタ４２（サーミスタ４３）で検出される温度が、リモコン１３で設定した設定温度となるように駆動制御される。具体的には、リモコン１３で設定した設定温度を、制御装置であるマイクロコンピュータ５１にデータとして送信し、そのデータを受け取ったマイクロコンピュータ５１が、各電動式混合弁の出湯口側に設けられているサーミスタで検出される温度が、リモコン１３で設定した設定温度となるように駆動制御する。
【００１９】
ミスト発生装置９は、浴室等でミスト浴を楽しむことができる装置であり、使用者は、浴室に設けられているリモコン１３で操作することによって、ミスト発生装置９から発生するミストの温度や運転時間を設定することができる。本実施の形態１では、ミスト発生装置９への湯水の供給は、貯湯タンク１内の高温水を浴槽３３へ供給する浴槽給湯管１１から分岐したミスト配管１２を経て行われる。
【００２０】
そして、ミスト配管１２を経て供給される貯湯タンク１内の高温水と、給水源から給水配管１４を経て供給される水とを、サーミスタ４１で検出する温度が、リモコン１３で設定したミスト温度となるように、電動式混合弁２１を駆動制御して、ミスト発生装置９へ湯水を供給している。ミスト発生装置９内には湯水停止手段（図示せず）が設けられており、湯水停止手段（図示せず）が開放することによって、湯水を噴出するミストノズル（図示せず）から湯水が浴室内に放出される。なお、ミスト開始当初は、貯湯タンク１からミスト発生装置９までの間にある配管内に溜まった冷水を浴室等の洗い場に排水することで、ミスト発生装置９から冷水が降り注ぐことのない構成となっている。
【００２１】
また、本実施の形態における貯湯式給湯機のミスト配管１２は、前述した通り浴槽給湯管１１より分岐した構造となっている。これは、カラン等の給湯端末３１に供給する給湯管１０から分岐するよりも、浴槽３３に高温水を供給する浴槽給湯管１１から分岐する方が、使用者への影響度が少ないことが理由に挙げられる。
【００２２】
通常、カラン等の給湯端末３１から出湯する場合は、使用者はすぐに湯水を使用したいことが多く、そのため給湯端末３１から出湯した湯が直接使用者に触れることが多い。例えば仮に、給湯管１０からミスト配管１２を分岐させた構造とする。そうした場合、給湯端末３１から湯水を出湯している最中に、ミスト発生装置９の運転を開始してしまうと、給湯管１０からミスト配管１２に高温水が流入してしまい、給湯端末３１に供給される高温水の流量が減じてしまう（詳しくは、電動式混合弁２３に供給される高温水の流量が変化してしまう）。そのため、一時的ではあるが、サーミスタ４３がリモコン１３で設定した設定温度となるように電動式混合弁２３の駆動制御を行わなければならないため、電動式混合弁２３から出湯する湯の温度が変動してしまう。そのため、給湯端末３１から出湯した湯が一時的に変動してしまうので、使用者が要求する温度ではない温度で湯が供給されるため不快になってしまう可能性がある。
【００２３】
それに対して本発明のように、浴槽３３へ高温水を供給する浴槽給湯管１１から、ミス
ト配管１２を分岐させた構造とした場合、給湯端末３１から湯水を出湯している最中に、ミスト発生装置９の運転を開始しても、給湯端末３１から出湯する湯の温度は、ミスト運転の影響を受けることがない。また本実施の形態のように浴槽給湯管１１からミスト配管１２を分岐させた構造とした場合、浴槽３３へ湯張り中もしくは沸き増し中に、ミスト運転を開始しても、使用者の使用方法として通常は、ある程度の湯を浴槽３３に貯めてから入浴するか、または、ある程度の湯が既に貯められている浴槽３３の中に注湯するため、浴槽給湯管１１で流量変化が起きても浴槽３３で大量の湯と混合されてしまい、使用者には湯温の変化が感じられにくい構造となる。つまり、浴槽給湯管１１からミスト配管１２を分岐させたとしても使用者には温度変化が感じられにくい構造となるため、使用者に対して不快にさせることがない。
【００２４】
以上のように構成された貯湯式給湯機について、以下、ミスト発生装置９に湯水を供給する電動式混合弁２１の動作について説明する。
【００２５】
まず初めに、ミスト運転開始および停止に伴う電動式混合弁２１の開度について説明する。前述したように、通常ミスト運転を行う際には、使用者がリモコン１３等によってミスト運転の温度設定、開始指示を行い、ミスト運転が開始される。この時、電動式混合弁２１の出湯口に配設されているサーミスタ４１で検出される温度が、リモコン１３で設定された温度となるように電動式混合弁２１の開度が駆動制御される。
【００２６】
しかしながら、ミスト発生装置９が何らかの原因で動作不良になってしまった場合（例えば、ミスト発生装置９内に設けている湯水停止手段の故障など）、使用者が予期していないにも関わらず、ミスト発生装置９から大量の湯水が降り注いでしまう。ミスト発生装置９から大量の湯水が降り注いでしまうと、電動式混合弁２１の開度が少しでも湯側に開いていると、貯湯タンク１からの高温水を使用してしまうことになり、ひいては貯湯タンク１内の湯切れを発生させてしまう。
【００２７】
そのような課題に対して、本実施の形態では、使用者がリモコン１３によってミスト運転を停止すると、電動式混合弁２１の開度を水側に全開にしている。つまり、ミスト運転停止時には、ミスト発生装置９には貯湯タンク１内の高温水を供給することがないため、何らかの故障が原因でリモコン１３等によってミスト運転の停止ができない状況に陥ったとしても、電動式混合弁２１の開度は水側に全開にしているので、貯湯タンク１からの高温水の出湯を抑制し、湯切れを防止することができる。
【００２８】
次に、ミスト運転停止後の電動式混合弁２１の開度について説明する。図２は、電動式混合弁２１の開度のタイムチャートである。図２において、ミスト運転が開始されると、水側に全開になっていた電動式混合弁２１の開度は、リモコン１３で設定されたミスト温度で出湯するように制御される。そして使用者が浴室でミストサウナを楽しんだ後に、リモコン１３でミスト運転の停止指示もしくは、ミスト運転の時間を設定していることによる自動停止によってミスト運転が停止される。ミスト運転が停止されると、前述したとおりミスト湯温混合調節手段である電動式混合弁２１の開度が水側全開に駆動する。
【００２９】
そして、深夜時間（例えば、２３時〜翌７時とする）内のある時刻になると、電動式混合弁２１の開度を湯側全開に駆動させる。そして第１の所定時間の間、湯側全開に駆動し、第１の所定時間が終了すると再度、電動式混合弁２１の開度を水側に全開に駆動させる。このように電動式混合弁２１の開度を制御することにより、電動式混合弁２１の駆動が正常であるかどうかを確認することができ、また、電動式混合弁２１自体の凍結を防止することができる。なお、深夜時間を２３時〜翌７時としたが、これに限定されることはない。また深夜時間内のある時刻というのは、一義的に決定されるものではなくどのような時刻を設定してもよい。また、本実施の形態では深夜時間内のある時刻になると、電動式
混合弁２１の開度を湯側全開に駆動させていたが、これに限定されることはなく、図３に示すタイムチャートのように適当な開度に駆動してもよい。
【００３０】
以上のように、ミスト運転を行う／行わないは、使用者の好みによるところが大きく、ミスト運転を長期間使用しないときにおいても、ある時刻になると電動式混合弁２１の開度を駆動させるので、ミスト運転を使用しないときにおいても、電動式混合弁２１の駆動が正常であるかどうかを確認することができる。また電動式混合弁２１自体の凍結を防止することもできる。
【００３１】
また、ミスト運転停止中は、基本的に電動式混合弁２１の開度は、水側全開に駆動されているので、使用者が予期しないミスト発生装置９からの湯水の噴出においても、高温水が噴出されることがないので安全性が高いとともに、貯湯タンク１内の高温水の使用を防止するので、湯切れの発生を防止することができる。
【００３２】
（実施の形態２）
図４は、実施の形態２における貯湯式給湯機の構成図である。なお、実施の形態１と同じ部位については同じ符号を付して説明を省略する。図４において、実施の形態１との相違点は、外気温度検出手段であるサーミスタ５２を備えた点である。
【００３３】
図５は、実施の形態２におけるミスト湯温混合調節手段である電動式混合弁２１の開度のタイムチャートである。図５に基づいて、本実施の形態２における電動式混合弁２１の動作を説明する。
【００３４】
まずミスト運転開始および停止に伴う電動式混合弁２１の開度についてであるが、実施の形態１でも説明したように、通常ミスト運転を行う際には、使用者がリモコン１３等によってミスト運転の温度設定、開始指示を行い、ミスト運転が開始され、電動式混合弁２１の出湯口に配設されているサーミスタ４１で検出される温度が、リモコン１３で設定された温度となるように電動式混合弁２１の開度が駆動制御される。そして、ミスト運転の停止に伴い、電動式混合弁２１の開度は水側全開に駆動される。
【００３５】
そして、ミスト運転の停止中において、サーミスタ５１で検出される外気温度Ｔが、第１設定温度Ａ以下である場合に、電動式混合弁２１の開度を湯側に所定時間の間、駆動させる。電動式混合弁２１の開度を湯側に駆動させてから所定時間経過すると、再度電動式混合弁２１の開度を水側全開に駆動させる。ここで、湯側に駆動させておく所定時間の長さは、適宜変更することができ、一義的に決定されるものではない。また、外気温度Ｔが第１設定温度Ａ以下である状態を検出している間は常に、電動式混合弁２１の開度を湯側に駆動させておいてもよい。
【００３６】
また、第１設定温度Ａも適宜自由に設定することができる。このように、外気温度Ｔに基づいて、電動式混合弁２１の開度を湯側に駆動させることで、より凍結しやすい状況において確実に電動式混合弁２１の凍結を防止することができる。
【００３７】
（実施の形態３）
実施の形態３における貯湯式給湯機の構成は、実施の形態２と相違する点がないため、図４に示す構成と同じである。図６は、実施の形態３におけるミスト湯温混合調節手段である電動式混合弁２１の開度のタイムチャートである。図６に基づいて、本実施の形態３における電動式混合弁２１の動作を説明する。
【００３８】
まずミスト運転開始および停止に伴う電動式混合弁２１の開度についてであるが、実施の形態１、２でも説明したように、通常ミスト運転を行う際には、使用者がリモコン１３
等によってミスト運転の温度設定、開始指示を行い、ミスト運転が開始され、電動式混合弁２１の出湯口に配設されているサーミスタ４１で検出される温度が、リモコン１３で設定された温度となるように電動式混合弁２１の開度が駆動制御される。そして、ミスト運転の停止に伴い、電動式混合弁２１の開度は水側全開に駆動される。
【００３９】
そして、ミスト運転の停止中において、サーミスタ５１で検出される外気温度Ｔが、第１設定温度Ａ以下である状態を検出してから、第２の所定時間経過後に、電動式混合弁２１の開度を湯側に駆動させる。電動式混合弁２１の開度を湯側に駆動させてから、所定時間の間は、湯側に駆動させた状態を保持し、その後、所定時間経過後は、再度電動式混合弁２１の開度を水側全開に駆動させるものとする。なお、実施の形態２と同様に、電動式混合弁２１の開度を湯側に駆動させて保持しておく時間は、一義的に決定されるものではない。また外気温度Ｔが、第１設定温度Ａ以下である状態を検出している間は常に、電動式混合弁２１の開度を湯側に駆動させておいてもよい。
【００４０】
このように、外気温度Ｔが第１設定温度Ａ以下であることを検出してから、第２の所定時間経過後に、電動式混合弁２１の湯側への駆動を開始するため、適切なタイミングで電動式混合弁２１の凍結を防止するので、第２の所定時間の間は、駆動する必要がないので消費電力を低減することができる。
【００４１】
（実施の形態４）
実施の形態４における貯湯式給湯機の構成は、実施の形態２と相違する点がないため、図４に示す構成と同じである。図７は、実施の形態４におけるミスト湯温混合調節手段である電動式混合弁２１の開度のタイムチャートである。図７に基づいて、本実施の形態４における電動式混合弁２１の動作を説明する。
【００４２】
まずミスト運転開始および停止に伴う電動式混合弁２１の開度についてであるが、実施の形態１、２、３でも説明したように、通常ミスト運転を行う際には、使用者がリモコン１３等によってミスト運転の温度設定、開始指示を行い、ミスト運転が開始され、電動式混合弁２１の出湯口に配設されているサーミスタ４１で検出される温度が、リモコン１３で設定された温度となるように電動式混合弁２１の開度が駆動制御される。そして、ミスト運転の停止に伴い、電動式混合弁２１の開度は水側全開に駆動される。
【００４３】
そして、ミスト運転を停止してから、第３の所定時間が経過したことを、マイクロコンピュータ５１で検出すると、長時間ミスト運転が行われていないと判断し、ミスト湯温混合調節手段である電動式混合弁２１の開度を湯側に駆動する。ミスト運転は、風呂や給湯端末とは違い、使用者の好みによるところが大きいため、使用しない場合には、全く使用されないが、定期的に動作させてやることで、故障を低減することができる。
【００４４】
つまり、本実施の形態４では、前回電動式混合弁２１が駆動してから、第３の所定時間が経過すると、電動式混合弁２１の開度を湯側に駆動することで、故障の低減を図るものである。なお、本実施の形態４では、ミスト運転が停止してから第３の所定時間経過を確認すると、電動式混合弁２１を駆動させているが、電動式混合弁２１が確認のために湯側に動作してから、使用者によるミスト運転がない場合があることを考慮すると、電動式混合弁２１を、湯側に駆動させて再度水側全開に駆動してから、第３の所定時間が経過すると、再度電動式混合弁２１の開度を湯側に駆動するようにしてもよい。
【００４５】
以上のように、定期的に湯側に駆動させてやることで、長期間電動式混合弁２１を駆動させないことを防止し、電動式混合弁２１の故障を低減するとともに、定期的に湯側に駆動するので、電動式混合弁２１の凍結の防止にもなる。
【産業上の利用可能性】
【００４６】
以上のように、本発明にかかる貯湯式給湯機は、簡単な構成でミスト発生装置を接続することができる貯湯式給湯機を実現することができる。
【図面の簡単な説明】
【００４７】
【図１】本発明の実施の形態１における貯湯式給湯機の構成図
【図２】実施の形態１における電動式混合弁２１の開度のタイムチャート
【図３】実施の形態１における電動式混合弁２１の開度のタイムチャート
【図４】本発明の実施の形態２における貯湯式給湯機の構成図
【図５】実施の形態２における電動式混合弁２１の開度のタイムチャート
【図６】実施の形態３における電動式混合弁２１の開度のタイムチャート
【図７】実施の形態４における電動式混合弁２１の開度のタイムチャート
【符号の説明】
【００４８】
１  貯湯タンク
２  水冷媒熱交換器
３  水ポンプ
４  タンク給水管
６  圧縮機
７  蒸発器
８  減圧装置
９  ミスト発生装置
１０  給湯管
１１  浴槽給湯管
１２  ミスト配管
１３  リモコン
２１  電動式混合弁
２２  電動式混合弁
２３  電動式混合弁
【図１】
2008232586.tif 000003
【図２】
2008232586.tif 000004
【図３】
2008232586.tif 000005
【図４】
2008232586.tif 000006
【図５】
2008232586.tif 000007
【図６】
2008232586.tif 000008
【図７】
2008232586.tif 000009